【事件の表示】
　上記当事者間の登録第１６３５６８７号商標の登録取消審判事件について、次のとおり審決する。
【結　論】
　登録第１６３５６８７号商標の指定商品中「畳類、敷き物、屋内装置用布製品、その他の屋内装置品（花びん、水盤、つい立て、びょうぶ、風りん、照明がくぶちを除く。）、よしず、天幕、日おおい、雨おおい、苗床幕、農業用プラスチックフィルム」については、その登録は取り消す。
　審判費用は、被請求人の負担とする。
【理　由】
１　本件商標
　本件登録第１６３５６８７号商標（以下「本件商標」という。）は、「ＪＡＰＡＮＥＳＱＵＥ」及び「ジャパネスク」の文字を２段に書してなり、昭和５５年１０月１６日に登録出願、第２０類「家具、畳類、建具、屋内装置品（書画及び彫刻を除く。）屋外装置品（他の類に属するものを除く。）記念カツプ類、葬祭用具」を指定商品として同５８年１１月２５日に設定登録がされ、現に有効に存続しているものである。
　
２　請求人の主張
　請求人は、結論同旨の審決を求め、その理由及び答弁に対する弁駁を要旨次のように述べ、証拠方法として甲第１号証を提出した。
（１）請求理由
　請求人が調査したところ、本件商標が、過去３年間に日本国内で、商標権者、専用使用権者または通常使用権者によって、その指定商品中「畳類、敷き物、屋内装置用布製品、その他の屋内装置品（花びん、水盤、つい立て、びょうぶ、風りん、照明がくぶちを除く。）、よしず、天幕、日おおい、雨おおい、苗床幕」について使用された事実を発見することはできなかった。
　よって、本件商標は、商標法第５０条第１項の規定により、指定商品中「畳類、敷き物、屋内装置用布製品、その他の屋内装置品（花びん、水盤、つい立て、びょうぶ、風りん、照明がくぶちを除く。）、よしず、天幕、日おおい、雨おおい、苗床幕」についての登録は取り消されるべきものである。
（２）答弁に対する弁駁
（イ）被許諾人について
　被請求人は「株式会社電通恒産」に通常使用権の許諾を与えたことになっているが、それが書面によるものであるとした場合その書面の提出もなく、また、口頭によるものであるとした場合も証明書等の提出はなされていない。
　まして、答弁書及び証拠書類において「株式会社電通恒産」の住所等さえ明らかにされておらず、被請求人は、使用許諾事実の存在自体の証明をなし得ていないものと言える。
　また、被許諾人が「株式会社電通恒産」であり同社によって使用されているとの主張であるにも拘わらず、その証拠として提出された売上伝票の宛名は「株式会社電通恒国産サービス」と記載されている。しかも、売上伝票の宛名たる「株式会社電通恒産サービス」についても、その住所の特定できるものさえない。
　さらに、「株式会社電通恒産サービス」を宛名とする売上伝票を、「株式会社電通恒産」の使用事実の証拠として主張する限りは、「株式会社電通恒産サービス」と「株式会社電通恒産」とが少なくとも実質的に同一法人である旨の立証がなされるべきところであるが、その同一性の立証もなされてはいない。即ち、被請求人の提出した答弁書及び証拠書類は、使用許諾事実の存在と、何処の何人によって本件商標が使用されたがについて何ら証明してはいない。
（ロ）売上伝票（乙第２号証）について
　被請求人によって示された使用（取引）事実は、乙第２号証の売上伝票記載の平成１１年１２月３日になされた僅か１回のみにすぎない。
　そうすると、僅か１回のみの使用にすぎないだけに、その使用事実の証拠は、合理的かつ疑う余地のないものでなければならない。
　しかるに、提出された「売上伝票」は、手書きされたものであり、「ふろしき，和袋小物」をはじめ「祝儀用品」等幅広い商品を取り扱われている「株式会社ヤタ二」にあって、販売当時コンピュータ会計を末導入であったとは考えにくく、そして売上に伴う「請求書（控）」の写しの提出さえなされておらず、担当者（伝票作成者）の処理印も押されていない。
　また売上の相手方たる「株式会社電通恒産サービス」（「株式会社電通恒産」）側保管の「納品書」及び「請求書」も提出されていない。
　１回のみの取引であっても、その事実を合理的・客観的に立証し得る証拠に事欠くものではないが、被請求人によって提出されたのは、僅かに１回の取引を示した手書きの売上伝票のみにすぎない。
　即ち、「テーブル掛け」の取引事実の証拠として提出されたものは、白紙伝票１枚あれば本日でも作成可能と言えるにすぎないものであり、この乙第２号証を以って当該取引が本件審判請求予告登録前３年内になされたことを立証したとは到底言い得るものではない。
（ニ）商品の写真（乙第１号証）について
　先ず、この写真の撮影日が本件審判請求の予告登録（平成１２年１０月２０日）（平成１２年１０月２５日の誤記と認められる。）より後の平成１２年１２月１６日であるという点において、写真中のテーブル掛けが予告登録前３年内に存在したとの事実に疑義があり、これを証するものは提出されていない。ましてや、写真に示されたテーブル掛けが該態様で上記３年内に販売されたという事実が証明されている筈もない。
　次に、乙第１号証と同第２号証との関係を考察するに、両証拠は何の脈絡もなく提出されているにすぎず、「商品の写真」中のテーブル掛けが、売上伝票の品名欄に括弧書きされた「ジャパネスク」と同一である旨の証明もなされていない。
　また、「商品の写真」のどこを探しても、「製造者」或いは「販売者」の表示を発見することはできず．該商品が、被請求、被許諾人或いは株式会社ヤタニの商品であるとする何らの証拠も見出すことはできず、そして、写真中の「ｊａｐａｎｅｓｑｕｅ」の文字の使用部分については、拡大写真も添付されておらず、また該文字部分の周辺と地模様とは異なっており、ラベルやシール等が貼られた形跡が見られる。
　もちろん、ラベルやシール貼付も商標使用の一方法であるから、そのような方法によるものであれば、その「ラベル」「シール」が提出されるべきである。それが印刷業者によって作成されたものであるなら、「納品書」「請求書」「領収書」も提出は可能であるところ、それらの添付もない。
　即ち、「商品の写真」 は単なる写真にすぎないものであり、本件商標の使用事実を裏付ける証拠としての価値は皆無と言わざるを得ない。
（ホ）本件登録商標の使用者について
前記の如く、本件登録商標の使用事実の立証については、かなりの無理があり矛盾に満ちており、さらに重大な矛盾が含まれている。
　被請求人によれば、通常使用権の使用許諾を受けたのが「株式会社電通恒産」であり、その「株式会社電通恒産」によって本件商標の使用がなされた旨明記されており、その取引事実の唯一の証拠として売上伝票が提出されている。宛名が「株式会社電通恒産サービス」という点の問題は上記のとおりであるが、この点を差し置いてもなお問題が残る。
　この取引においては、販売者が「株式会社ヤタニ」であり、購入者が「株式会社電通恒産サービス」であることは明らかである。ここにおいて、（百歩譲って）伝票上の「ジャパネスク」を商標の使用とすれば、その使用者は「株式会社ヤタ二」というよりほかはない。
　もちろん、取引市場では「ＯＥＭ」による商品供給という販売方法もある。しかし、乙第２号証における取引がそのような「ＯＥＭ」取引に該当するものであるならば、相応の証拠が示されなければならない。
　即ち、「株式会社ヤタ二」によって販売された２６個の「都古布　別注テーブルセンター」が、「株式会社電通恒産サービス」を経由して「株式会社電通恒産」の「ｊａｐａｎｅｓｑｕｅ」ブランドとして、第三者へ販売された証拠が不可欠ということである。しかるに、そのような証拠は一切提出されておらず、「ＯＥＭ」取引である旨の説明さえなされていない。
　従って、仮に売上伝票が商標の使用事実を示すものであっても、これが「株式会社電通恒産」による使用事実を示すものと言い得ない。
　上記のとおり、被請求人によって提出された乙第１号証ないし同第２号証の全証拠を検証するに、これらを以って、その主張するところの被許諾人たる「株式会社電通恒産」が、本件商標を「継続して３年以上日本国内において“テーブル掛け（屋内装置用布製品）”について使用した」との立証がなされたとは到底認められるものではない。
　　
３　被請求人の答弁
　被請求人は、「本件審判の請求は成り立たない。審判費用は、請求人の負担とする。」との審決を求め、その理由及び弁駁に対する答弁を要旨次のように述べ、証拠方法として乙第１号証ないし同第３号証を提出した。
（１）答弁
　本件商標に関し、被請求人から通常使用権の許諾を受けた「株式会社電通恒産」により、請求に係る指定商品である「テーブル掛け」（屋内装置品用布製品）に登録商標「Ｊａｐａｎｅｓｑｕｅ」を乙号証に示す写真の通り、平成１１年１２月３日（売上伝票）当時には使用されており、本件審判請求前３年以内の使用であり、商標法第５０条に定める取消の要件を充足せず、本件審判は成り立たないものである。
　以上の事実を示す証拠として、平成１１年１２月３日（売上伝票）当時使用の商品と同じ「商品の写真」（平成１２年１２月１６日／代理人撮影）と「売上伝票」（株式会社ヤタニより株式会社電通恒産宛）を各乙号証として提出しており参照されたい。
（２）弁駁に対する答弁
（イ）商標の使用者について
　商標の使用者は、「株式会社電通恒産サービス」とすべきところを「株式会社電通恒産」とした答弁書の誤記である。
　証拠として提出した乙第２号証の表示の通りであり、「株式会社電通恒産サービス」と訂正する。
　通常「親会社」が関連会社に商標の使用を是認する場合、個別に商標の使用許諾書を発行するようなことをしないのが一般である。むしろ、親会社が商標を所有する場合、その子会社・関連会社は、親会社の権利の笠の下で使用するのが一般であり、「黙示の許諾行為」があったと解すべきである。
　そうであるとすると、「株式会社電通恒産サービス」は、権利者であり親会社の「株式会社電通」よりの「黙示の許諾行為」により商標の使用をしていたのである。
　「株式会社電通」の場合、局レベルでの指導がなされており、当時は、局の指導により、不使用対策・更新対策（法改正を知らず）の為に積極的に「ジャパネスク」「ＪＡＰＡＮＥＳＱＵＥ」の商標の使用を推奨していたのである。
（ロ）伝票について
　請求人は伝票関係のかなりの書類を提出すべきことを述べているが、商標法第５０条の不使用取消の審判における証明の為の証拠としては十分である。
（ハ）商品写真について
　請求人も述べているように商品に商標が表示されていることが最低の条件であり、製造者或いは販売者の表示が義務的でない商品については、商標の使用の要件としては十分である。
　
４　当審の判断
（１）被請求人が本件商標の使用について提出した乙各号証によれば、以下の事実を認めることができる。
　乙第１号証は、「ＪＡＰＡＮＥＳＱＵＥ」の文字を化粧箱の蓋面に表し、その化粧箱中に「模様をあしらった布製品」を収納した状態が示された写真とその拡大の写真２葉、同布上の草花及び雲の模様を描出してなる面を表側にして木製の長机上に広げた写真１葉、及び同布の裏地、即ち表側から折り返し縫代をとり、そこに白色の裏地をつけた縫製加工状態がみえる側を木製の長机上に広げた写真１葉である。
　乙第２号証は、売上伝票の控えと認められところ、その表示項目として「売上伝票控え」、同伝票発行日の「平成１１年１２月３日」、発行者である「株式会社ヤタニ」の商号及び同社の本店、支店の「住所・電話番号」、宛先の「株式会社電通恒産サービス様」、得意先コード番号「７３２７５６」、品番コード「２１２３９９９」、品名欄には「（ジャパネスク）都古布　別注テーブルセンター（化粧箱入り）」、数量「２６」、同じく「（ジャパネスク）都古布　別注テーブルセンター　知恵袋セット（化粧箱入り）」、数量「５」、他に決裁欄（決裁印はない）単価、金額、消費税、総合計金額が記載され、そして「株式会社ヤタニ」、「その住所電話番」及びその他の印刷された事項以外は、その項目内容が手書きされているものである。
　乙第３号証は、「株式会社電通恒産サービス」のウェヴサイトホームである。
（２）まず、使用に係る商品についてみると、商品写真に示されている商品は、最終製品と看取される加工状態、織物の販売に際して浅底の化粧箱が使用されていること及び売上伝票控え中の「別注テーブルセンター（化粧箱入り）の記載に徴し、「テーブル掛け」とみるのが相当である。
　次に、売上伝票控えについてみると、該伝票は、「株式会社ヤタニ」から「株式会社電通恒産サービス」宛に発行された売上伝票控えであると認められる。
　しかして、該伝票控えは、その表示全体からすると「株式会社ヤタニ」が本件商標に関する商品を「株式会社電通恒産サービス」に販売した取引書類と理解され、「株式会社ヤタニ」によって本件商標が使用されたことを示すものとみるべきである。そして被請求人は、この点に関する請求人の指摘に対しても、単に本件商標の使用証明として十分と述べるのみで、これを覆す反論及び証左も示していない。
　以上のことからすると、商品写真及び売上伝票控えからは、それに表示された商品が「テーブル掛け」であることが分かるとしても、被請求人のいう黙示の許諾者で本件商標に関する通常使用権者であるとする「株式会社電通恒産サービス」と件外「株式会社ヤタニ」との間で本件商標に係る商品がどのように関係し、販売したか不明であって、結局、化粧箱表面上の「ＪＡＰＡＮＥＳＱＵＥ」の文字と売上伝票控え中の「ジャパネスク」の文字が欧文字と片仮名文字の差であって称呼が一致するが、そのこと限りをもってしては、本件商標が通常使用権者であるとする「株式会社電通恒産サービス」が如何なる取引で使用したか明らかなものとはいえない。
　してみれば、本件商標は、審判請求の登録前３年以内に、社会通念上同一と認められる商標を、その指定商品中の請求にかかる商品の「畳類、敷き物、屋内装置用布製品、その他の屋内装置品（花びん、水盤、つい立て、びょうぶ、風りん、照明がくぶちを除く。）、よしず、天幕、日おおい、雨おおい、苗床幕、農業用プラスチックフィルム」について使用しているものと認めることができない。
（３）したがって、本件商標は、その指定商品中、結論掲記の指定商品についての登録を商標法第５０条の規定により取り消すべきものである。
　よって、結論のとおり審決する。